(57)【要約】【課題】メンテナンス性を向上できる画像形成装置を提供する。【解決手段】画像形成装置１００は、記録媒体に画像を形成する画像形成部１０と、画像形成部に記録媒体を供給する供給装置８０と、画像形成部によって画像形成された記録媒体を排出する排出装置９０と、サーバー機能を有するサーバー部３２と、サーバー部３２を収容し画像形成部１０よりも下方に配置されるキャビネット３０と、を備える。キャビネット３０は、各々異なる第１の側面４６Ａ、第２の側面４６Ｂ、および第３の側面４６Ｃを有する。供給装置８０は、第１の側面４６Ａに向いて配置される。排出装置９０は、第２の側面４６Ｂに向いて配置される。キャビネット３０には、第３の側面４６Ｃに開口する開口部が形成されている。【選択図】図１
2018132690.tif 000002
【特許請求の範囲】
【請求項１】
記録媒体に画像を形成する画像形成部と、
前記画像形成部に記録媒体を供給する供給装置と、
前記画像形成部によって画像形成された記録媒体を排出する排出装置と、
サーバー機能を有するサーバー部と、
前記サーバー部を収容し前記画像形成部よりも下方に配置されるキャビネットと、を備え、
前記キャビネットは、各々異なる第１の側面、第２の側面、および第３の側面を有し、
前記供給装置は、前記第１の側面に向いて配置され、
前記排出装置は、前記第２の側面に向いて配置され、
前記キャビネットには、前記第３の側面に開口する開口部が形成されている、画像形成装置。
【請求項２】
前記第３の側面は、前記画像形成装置の前側面である、請求項１に記載の画像形成装置。
【請求項３】
前記第３の側面は、前記画像形成装置の後側面である、請求項１に記載の画像形成装置。
【請求項４】
前記画像形成部は、前記画像形成部に電力を供給する第１の電力供給部を有し、
前記サーバー部は、前記サーバー部に電力を供給する第２の電力供給部を有する、請求項１から請求項３のいずれか１項に記載の画像形成装置。
【請求項５】
前記画像形成部は、外部機器との間で情報を送受信する第１の外部インターフェースを有し、
前記サーバー部は、外部機器との間で情報を送受信する第２の外部インターフェースを有する、請求項１から請求項４のいずれか１項に記載の画像形成装置。
【請求項６】
前記キャビネットは、前記開口部を開閉可能にする扉部を有する、請求項１から請求項５のいずれか１項に記載の画像形成装置。
【請求項７】
前記扉部は、上端縁を回転中心として開閉する、請求項６に記載の画像形成装置。
【請求項８】
前記開口部を介して、前記サーバー部の出し入れが可能であり、
前記開口部を介して、前記サーバー部へのケーブルの着脱処理が可能である、請求項１から請求項７のいずれか１項に記載の画像形成装置。
【発明の詳細な説明】
【技術分野】
【０００１】
本発明は、画像形成装置に関する。
【背景技術】
【０００２】
特開２００９−５４０６６号公報（特許文献１）には、ノートパソコンおよびモバイルパソコンなどの端末装置を格納可能である格納部が設けられている画像形成装置が開示されている。
【先行技術文献】
【特許文献】
【０００３】
【特許文献１】特開２００９−５４０６６号公報
【発明の概要】
【発明が解決しようとする課題】
【０００４】
画像形成装置には、メンテナンスのための扉部が設けられており、扉部へのアクセスを容易にする必要がある。
【０００５】
本発明の目的は、メンテナンス性を向上できる画像形成装置を提供することである。
【課題を解決するための手段】
【０００６】
本発明に係る画像形成装置は、記録媒体に画像を形成する画像形成部と、画像形成部に記録媒体を供給する供給装置と、画像形成部によって画像形成された記録媒体を排出する排出装置と、サーバー機能を有するサーバー部と、サーバー部を収容し画像形成部よりも下方に配置されるキャビネットと、を備える。
【０００７】
キャビネットは、各々異なる第１の側面、第２の側面、および第３の側面を有する。供給装置は、前記第１の側面に向いて配置される。排出装置は、第２の側面に向いて配置される。キャビネットには、第３の側面に開口する開口部が形成されている。
【０００８】
上記の画像形成装置によると、サーバー部のメンテナンス性を向上させることができる。
【０００９】
上記の画像形成装置において、第３の側面は、画像形成装置の前側面である。これにより、サーバー部のメンテナンス性をより向上させることができる。
【００１０】
上記の画像形成装置において、第３の側面は、画像形成装置の後側面である。これにより、サーバー部の防犯性を高めることができる。
【００１１】
上記の画像形成装置において、画像形成部は、画像形成部に電力を供給する第１の電力供給部を有する。サーバー部は、サーバー部に電力を供給する第２の電力供給部を有する。
【００１２】
上記の画像形成装置によると、メンテナンスのためサーバー部への電力供給が無い場合であっても、画像形成部を稼働させることができる。
【００１３】
上記の画像形成装置において、画像形成部は、外部機器との間で情報を送受信する第１の外部インターフェースを有する。サーバー部は、外部機器との間で情報を送受信する第２の外部インターフェースを有する。
【００１４】
上記の画像形成装置によると、サーバー部がメンテナンス中であっても、外部機器と画像形成部との情報の送受信を妨げることなく、画像形成装置を稼動させることができる。
【００１５】
上記の画像形成装置において、キャビネットは、開口部を開閉可能にする扉部を有する。これにより、トナー粉末および紙粉等の異物がキャビネット内に侵入することを防ぐことができる。
【００１６】
上記の画像形成装置において、扉部は、上端縁を回転中心として開閉する。これにより、上方からの落下物（トナー粉末、紙粉等）に対してサーバー部を保護することが可能となる。
【００１７】
上記の画像形成装置において、開口部を介して、サーバー部の出し入れが可能であり、開口部を介して、サーバー部へのケーブルの着脱処理が可能である。これにより、作業効率が向上する。
【発明の効果】
【００１８】
本発明の適用により、メンテナンス性を向上できる画像形成装置を実現することができる。
【図面の簡単な説明】
【００１９】
【図１】本実施の形態における画像形成装置の外観を模式的に示す斜視図である。
【図２】画像形成装置の内部構造を模式的に示す側面図である。
【図３】画像形成装置の内部構造を模式的に示す正面図である。
【図４】キャビネット内のサーバー部へアクセスする様子を示す斜視図である。
【図５】扉部が開いている状態におけるキャビネットの正面図である。
【図６】実施の形態２に従う画像形成装置の外観を模式的に示す斜視図である。
【発明を実施するための形態】
【００２０】
以下、図面に基づいて、実施の形態における画像形成装置について説明する。以下に示す実施の形態において、同一または実質的に同一の構成については、同一の符号を付して、重複した説明は繰り返さない。以下で説明される実施の形態の各構成は、適宜選択的に組み合わされてもよい。
【００２１】
（実施の形態１）
＜画像形成装置１００＞
図１は、本実施の形態における画像形成装置１００の外観を模式的に示す斜視図である。図２は、画像形成装置１００の内部構造を模式的に示す側面図である。図１および図２を参照して画像形成装置１００について説明する。
【００２２】
画像形成装置１００は、画像形成部１０と、キャビネット３０と、サーバー部３２と、供給装置８０と、排出装置９０と、を備える。
【００２３】
画像形成部１０とキャビネット３０とは一体化されている。キャビネット３０は画像形成部１０よりも下方に配置されている。画像形成部１０が画像形成装置１００における上段に設けられ、キャビネット３０が画像形成装置１００における下段に設けられている。
【００２４】
画像形成部１０とキャビネット３０とは、画像形成装置１００の本体部を構成している。この本体部は、前側面４２、右側面４３、左側面４４、および後側面４５を有している。前側面４２、右側面４３、左側面４４および後側面４５は、側方に向いて配置されている。
【００２５】
前側面４２は、画像形成装置１００を使用する作業者が通常立つことになる、画像形成装置１００の正面側を向いている。
【００２６】
後側面４５は、前側面４２の裏側に配置されており、画像形成装置１００の背面側を向いている。右側面４３および左側面４４は、前側面４２および後側面４５の間で延在している。左側面４４は、右側面４３の裏側に配置されている。
【００２７】
供給装置８０は、キャビネット３０に近接して左側面４４を向いて配置されている。供給装置８０は、画像形成部１０に記録媒体を供給する。排出装置９０は、キャビネット３０に近接して右側面４３を向いて配置されている。排出装置９０は、画像形成部１０によって画像形成された記録媒体を排出する。
【００２８】
＜画像形成部１０＞
図３は、画像形成装置１００の内部構造を模式的に示す正面図である。画像形成部１０は、記録媒体としての用紙２６に画像を形成する。画像形成部１０は、コピー機能、ファクシミリ機能、プリンタ機能およびスキャナ機能などの複数の機能を備えた複合機（ＭＦＰ：Multi-Functional  Peripherals）である。
【００２９】
画像形成部１０は、画像形成ユニット１１Ｙ，１１Ｍ，１１Ｃ，１１Ｋと、中間転写ベルト２１と、二次転写ローラー２２と、定着装置２３と、排紙トレイ２４と、給紙トレイ２５（２５Ｐ，２５Ｑ）と、画像読取部２８とを有している。
【００３０】
画像形成ユニット１１Ｙ，１１Ｍ，１１Ｃ，１１Ｋは、各々、感光体（像担持体）１２、帯電装置１３、露光装置１４、現像装置１５、一次転写ローラー１６およびクリーニングブレード１７を有している。画像形成ユニット１１Ｙ，１１Ｍ，１１Ｃ，１１Ｋは、これらの装置を用いて、それぞれ、イエロー（Ｙ）、マゼンタ（Ｍ）、シアン（Ｃ）、ブラック（Ｋ）の色を有するトナー像を中間転写ベルト２１の表面に形成する。
【００３１】
各色のトナー像は、中間転写ベルト２１の表面上で重ね合わされる。その後、中間転写ベルト２１は、中間転写ベルト２１と二次転写ローラー２２との間の二次転写部に、カラートナー像を搬送する。
【００３２】
給紙トレイ２５は、用紙２６を格納する格納部として設けられている。給紙トレイ２５には、複数枚の用紙２６が格納されている。典型的には、給紙トレイ２５Ｐと給紙トレイ２５Ｑとには、寸法の異なる用紙２６が格納されている。給紙トレイ２５は、画像形成部１０における最下部に配置されている。給紙トレイ２５Ｐと給紙トレイ２５Ｑとは、上下に並んで設けられている。
【００３３】
上下２段の給紙トレイ２５（給紙トレイ２５Ｐ，２５Ｑ）が設けられる構成に替えて、１段の給紙トレイ２５が設けられてもよく、３段以上の給紙トレイ２５が設けられてもよい。
【００３４】
画像読取部２８は、画像形成部１０における最上部に配置されている。画像読取部２８において、原稿の画像が読み取られる。画像読取部２８は、自動原稿送り装置によって搬送される原稿の画像を読み取る。また画像読取部２８は、原稿読取台上に載せ置かれた原稿の画像を読み取る。
【００３５】
画像形成部１０は、画像読取部２８において読み取られた原稿の画像を形成する。給紙トレイ２５に収容された用紙２６は、各種の回転ローラーにより、中間転写ベルト２１と二次転写ローラー２２との間の二次転写部に搬送される。中間転写ベルト２１に担持されているカラートナー像は、二次転写部において用紙２６の表面に転写される。その後用紙２６は、定着装置２３に搬送される。定着装置２３において、カラートナー像が、用紙２６の表面に定着される。以上の工程により画像が形成された用紙２６は、排紙トレイ２４に排出される。
【００３６】
図２中の両矢印Ａに示すように、前側面４２において、画像形成部１０の画像形成動作の実行により消耗する消耗品、たとえばトナーカートリッジ５６の交換のために、画像形成部１０の内部へのアクセスが可能となっている。
【００３７】
また、図２中の両矢印Ｂに示すように、前側面４２において、給紙トレイ２５が開閉可能となっている。より具体的には、給紙トレイ２５は、閉状態から、前側面４２より手前側に引き出されることによって開状態とされる。
【００３８】
画像形成部１０は、画像形成部１０に電力を供給するための第１の電力供給部７０を有する。第１の電力供給部７０は、たとえば、電源コードから構成されている。商用電源などからの電力が、第１の電力供給部７０を通じて画像形成部１０に供給される。
【００３９】
＜キャビネット３０＞
図１から図３を参照してキャビネット３０について説明する。キャビネット３０は、矩形箱状の形状を有している。キャビネット３０は、給紙トレイ２５の直下に設けられている。
【００４０】
キャビネット３０は、各々異なる第１の側面４６Ａ、第２の側面４６Ｂ、および第３の側面４６Ｃを有する。第１の側面４６Ａ、第２の側面４６Ｂ、および第３の側面４６Ｃは、側方に向いて、配置されている。第１の側面４６Ａは、第２の側面４６Ｂの裏側に配置されている。第３の側面４６Ｃは、第１の側面４６Ａおよび第２の側面４６Ｂの間で延在している。
【００４１】
第１の側面４６Ａは、左側面４４の一部を成している。第１の側面４６Ａに向いて、供給装置８０が配置されている。第２の側面４６Ｂは、右側面４３の一部を成している。第２の側面４６Ｂに向いて、排出装置９０が配置されている。実施の形態１において、第３の側面４６Ｃは、画像形成装置１００の前側面４２の一部を成している。
【００４２】
＜サーバー部３２＞
キャビネット３０には、サーバー部３２が収容されている。サーバー部３２は、データベースサーバー、Ｗｅｂサーバー、アプリケーションサーバー、および、ＦＴＰサーバー（ファイルサーバー）などの、複数のサーバー機能を有するハードウェアである。
【００４３】
図２に示すように、サーバー部３２は、サーバー部３２に電力を供給するための第２の電力供給部７１を有する。第２の電力供給部７１は、たとえば、電源コードから構成されている。商用電源などからの電力が、第２の電力供給部７１を通じてサーバー部３２に供給される。第１の電力供給部７０および第２の電力供給部７１は、互いに独立して設けられている。
【００４４】
第１の電力供給部７０および第２の電力供給部７１が互いに独立して設けられていることにより、メンテナンスのためサーバー部３２への電力供給が無い場合であっても、画像形成部１０を稼働させることができる。逆に、メンテナンスのため画像形成部１０への電力供給が無い場合であっても、サーバー部３２を稼働させることができる。
【００４５】
図４は、キャビネット３０内のサーバー部３２へアクセスする様子を示す斜視図である。キャビネット３０は、扉部３３を有する。扉部３３は、矩形板状の形状を有している。矩形板状の扉部３３の長辺側の端縁には、上端縁３４が形成されている。上端縁３４は、キャビネット３０の上面３６に近い方の端縁である。扉部３３は、たとえばヒンジにより上端縁３４を回転中心として回転する。図２中の両矢印Ｃに示すように、扉部３３は、略９０°の範囲内で回転可能な構成となっている。
【００４６】
図４に示すように、キャビネット３０には、開口部３１が形成されている。開口部３１は、扉部３３によって開閉される構成となっている。図２に示すように、実施の形態１において、開口部３１は、前側面４２において開閉可能となっている。図２中の両矢印Ｄで示すように、開口部３１を通じて、収容されているサーバー部３２の出し入れが可能となっている。
【００４７】
図１および図２を併せて参照して、開口部３１は、第３の側面４６Ｃに開口している。供給装置８０および排出装置９０が配置されている側面（第１の側面４６Ａおよび第２の側面４６Ｂ）と異なる第３の側面４６Ｃに開口部３１を形成することにより、供給装置８０および排出装置９０をとり外すことなく、キャビネット３０の内部へのアクセスが可能となる。これにより、サーバー部３２のメンテナンス性を向上させることができる。
【００４８】
さらに画像形成装置１００を稼働させたままキャビネット３０の内部へのアクセスが可能となるため、画像形成装置１００を稼働させたままサーバー部３２のメンテナンスをすることが可能となり、サーバー部３２のメンテナンス性が向上する。
【００４９】
さらに本実施の形態１においては、画像形成装置１００の正面側である前側面４２からサーバー部３２へアクセスすることができる。これにより、サーバー部３２へのアクセスが容易となって、サーバー部３２のメンテナンス性をより向上させることができる。
【００５０】
画像形成装置１００の正面側では消耗品の交換等による扉の開閉によって、画像形成部１０の内部で発生するトナー粉末および紙粉等の異物が飛散しやすいが、開口部３１に扉部３３を設けることで、トナー粉末および紙粉等の異物がキャビネット３０内に侵入することを防ぐことができる。
【００５１】
さらに、図４に示すように扉部３３が上端縁３４を回転中心として回転する構成にすることにより、作業者が消耗品の交換等の作業をしている時に、別の作業者がサーバー部３２のメンテナンスをする場合であっても、上方からの落下物（トナー粉末、紙粉等）に対してサーバー部３２を保護することが可能となる。
【００５２】
図５は、扉部３３が開いている状態におけるキャビネット３０の正面図である。サーバー部３２は、第２の外部インターフェース７３を有する。サーバー部３２は、第２の外部インターフェース７３およびケーブル３５を介して、外部機器７４との間で情報を送受信可能に構成されている。外部機器７４は、たとえばパーソナルコンピューター端末である。
【００５３】
また、図３に示す画像形成部１０は、第１の外部インターフェース７２を有する。サーバー部３２と同様に、画像形成部１０は、第１の外部インターフェース７２およびケーブル３５を介して、外部機器７４との間で情報を送受信可能に構成されている。なお、サーバー部３２および画像形成部１０は、無線を介して、外部機器７４との間で情報を送受信可能に構成されていてもよい。
【００５４】
第１の外部インターフェース７２および第２の外部インターフェース７３は、互いに独立して設けられている。互いに独立した第１の外部インターフェース７２および第２の外部インターフェース７３を設けることにより、サーバー部３２がメンテナンス中であっても、外部機器７４と画像形成部１０との情報の送受信を妨げることなく、画像形成装置１００を稼動させることができる。また、画像形成装置１００がメンテナンス中であっても、外部機器７４とサーバー部３２との情報の送受信を妨げることなく、サーバー部３２を稼働させることができる。
【００５５】
図４および図５に示すように、実施の形態１におけるサーバー部３２では、開口部３１を介してサーバー部３２の出し入れが可能となっていると同時に、開口部３１を介してサーバー部３２へのケーブル３５の着脱処理が可能となっている。サーバー部３２をキャビネット３０内から外側に取り出すことなくケーブル３５の着脱処理をすることができるため、作業効率が向上する。
【００５６】
さらに、ケーブル３５の着脱処理のための別の開口部を新たに設ける必要がなくなるため、開口している部分の面積を小さくしてキャビネット３０を構成することができる。これにより、キャビネット３０によるサーバー部３２が発する電磁波の遮蔽効果を向上させることができる。
【００５７】
（実施の形態２）
図６は、実施の形態２に従う画像形成装置１００の外観を模式的に示す斜視図である。実施の形態２において、フロア６１から立ち上がる壁部６３と後側面４５とが向かい合うように画像形成装置１００が設置されている。実施の形態１に従う画像形成装置１００と異なり、第３の側面４６Ｃは、後側面４５の一部を成している。開口部３１は、後側面４５に形成されている。実施の形態２において、開口部３１は、後側面４５において開閉可能となっている。
【００５８】
開口部３１が後側面４５に形成されていることにより、トナー粉末および紙粉等が飛散しやすい画像形成装置１００の正面側からのサーバー部３２の出し入れがないため、トナー粉末および紙粉等のサーバー部３２への落下量を抑制することができる。
【００５９】
さらに実施の形態２のように、扉部３３が設けられた第３の側面４６Ｃが壁部６３と対向して配置されている場合、扉部３３を回転操作する際に、第３の側面４６Ｃが壁部６３から離れるように画像形成装置１００を移動させる必要がある。これにより、サーバー部３２の防犯性を高めることができる。
【００６０】
今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【符号の説明】
【００６１】
１０  画像形成部、２５  給紙トレイ、３０  キャビネット、３１  開口部、３２  サーバー部、３３  扉部、３４  上端縁、３５  ケーブル、３６  上面、４２  前側面、４５  後側面、４６Ａ  第１の側面、４６Ｂ  第２の側面、４６Ｃ  第３の側面、７０  第１の電力供給部、７１  第２の電力供給部、７２  第１の外部インターフェース、７３  第２の外部インターフェース、７４  外部機器、８０  供給装置、９０  排出装置、１００  画像形成装置。
【図１】
2018132690.tif 000003
【図２】
2018132690.tif 000004
【図３】
2018132690.tif 000005
【図４】
2018132690.tif 000006
【図５】
2018132690.tif 000007
【図６】
2018132690.tif 000008